(57)【要約】【課題】機械的強度が強く、且つ耐熱性及び耐腐食性を高めた円筒状のロータリーキルン本体を安価な構成で製造することができる、腐食性気体が発生する粉体を回転動作に伴って移送するロータリーキルン本体を備えたロータリーキルンを提供する。【解決手段】ロータリーキルン１は、腐食性気体が発生する粉体Ｓを回転動作に伴って移送するロータリーキルン本体２を備える。ロータリーキルン本体２は、耐熱性金属からなる円筒状の外筒２１と、外筒２１に挿入される、外筒２１よりも短いＮｉ−Ｃｒ−Ｍｏ−Ｎｂ合金製の円筒状の内筒２２と、内筒２２の端部の内周側を支持した状態で外筒２１の内周面に固定される内筒支持部材２３とを備える。内筒支持部材２３は、内筒２２の端面２２ａとの間に所定の隙間δを設けた状態で固定されるとともに、外筒２１の内周面に固定された状態における露出面にＮｉ−Ｃｒ−Ｍｏ−Ｎｂ合金の合金層２３ｃを備える。【選択図】図１
2019184181.tif 000002
【特許請求の範囲】
【請求項１】
腐食性気体が発生する粉体を回転動作に伴って移送する円筒状のロータリーキルン本体を備えたロータリーキルンであって、
前記ロータリーキルン本体は、耐熱性金属からなる円筒状の外筒と、該外筒に挿入される、前記外筒よりも短いＮｉ−Ｃｒ−Ｍｏ−Ｎｂ合金製の円筒状の内筒と、該内筒の端部の内周側を支持した状態で前記外筒の内周面に固定される内筒支持部材とを備え、
前記内筒支持部材は、前記内筒の端面との間に所定の隙間を設けた状態で前記外筒の内周面に固定されるとともに、前記外筒の内周面に固定された状態における露出面にＮｉ−Ｃｒ−Ｍｏ−Ｎｂ合金の合金層を備えていることを特徴とするロータリーキルン。
【発明の詳細な説明】
【技術分野】
【０００１】
本発明は、腐食性気体が発生する粉体を回転動作に伴って移送するロータリーキルン本体を備えたロータリーキルンに関する。
【背景技術】
【０００２】
一般的なロータリーキルンは、回転する円筒状のロータリーキルン本体に被処理物を供給し、不活性ガスや空気などの導入ガスを所望の雰囲気となるように供給しながら、ロータリーキルン本体の外部から加熱して、乾燥、焼成などを行う。そして、被処理物から発生したガスを、供給したガスともにロータリーキルン本体の外部へ排気する。
このロータリーキルンとして、従来、例えば、特許文献１乃至５に示すものが知られている。
【０００３】
特許文献１に示す外熱式ロータリーキルンは、円筒状の耐熱金属製キルン本体の内周面に、所定の形状に分割した多数の高純度セラミックス製ライナーを相互に隣接させ隙間なく装着したものである。
また、特許文献２に示すセラミック仮焼炉は、回転動作に伴ってセラミック原料を移送する円筒状の炉心管を備え、この炉心管が、高純度かつ高密度のセラミック素材からなる内筒を耐熱性金属からなる外筒に挿入した構造を有するものである。
【０００４】
また、特許文献３に示すロータリーキルンは、耐熱鋼製の外筒と、外筒に嵌め込まれた、セラミックス製又は黒鉛製の複数個の短尺円筒体を連結して構成した内筒とを備えた回転円筒を有するものである。
更に、特許文献４に示すロータリーキルンは、円筒炉心管を有するロータリーキルンであって、円筒炉心管を支持し且つ外部からの回転駆動を炉心管に伝達する支持部を分割可能な構造としたものである。
また、特許文献５に示す熱処理装置は、炉心管を、その少なくとも一部又は全体をセラミックやカーボンなどの耐熱性非金属を含む材料で形成するか、あるいは、炉心管の全体をインコネル（登録商標）などのニッケル基合金、コバルト基合金、クロム合金などの耐熱性金属を含む材料で形成したものである。
【先行技術文献】
【特許文献】
【０００５】
【特許文献１】特開２０００−２７４９４８号公報
【特許文献２】特開平６−３０５４号公報
【特許文献３】特開２０１６−３８１４０号公報
【特許文献４】特開平１１−７２２９０号公報
【特許文献５】特開２０１７−２１１１２５号公報
【発明の概要】
【発明が解決しようとする課題】
【０００６】
ところで、このようなロータリーキルンにおいて、乾燥、焼成などを行う被処理物が、腐食性気体（例えば、塩素）が発生する粉体である場合がある。
この場合、特許文献１〜３に示すロータリーキルンにおいては、円筒状のロータリーキルン本体（特許文献１の場合は耐熱金属製キルン本体、特許文献２の場合は炉心管、特許文献３の場合は回転円筒）の内筒をセラミック素材としてある。このため、ロータリーキルン本体の内部で当該粉体の乾燥、焼成を行う際に、当該粉体から発生した腐食性気体がセラミッス素材の内筒に遮断されてステンレスなどの耐熱性金属からなる外筒に腐食性気体が直接触れることを阻止できる。これにより、耐熱性金属の粒界腐食および応力腐食割れを防止することができる。
【０００７】
しかしながら、セラミックスは、脆性材料であるため、外部からの機械的応力あるいは熱応力を受けた際に耐え得る応力が低く、破壊されやすい。このため、内筒が破壊されることによってステンレスなどの耐熱性金属からなる外筒に腐食性気体が直接触れてしまい、結果として耐熱性金属の粒界腐食および応力腐食割れの要因となってしまうことがある。
【０００８】
また、特許文献４に示すロータリーキルンの場合には、円筒炉心管を支持し且つ外部からの回転駆動を炉心管に伝達する支持部を分割可能な構造とする。これにより、円筒炉心管の材質がセラミックやガラスなどの非常に破損し易い材質であっても、安全に円筒炉心管の取付けや取り外しを行うことができる。
しかしながら、特許文献４に示すロータリーキルンの場合、円筒炉心管の材質自体を脆性材料から延性材料にその機械的性質を変えるものではない。このため、円筒炉心管が外部からの機械的応力あるいは熱応力を受けた際に耐え得る応力が低く、破壊されやすい性質は変わらない。
【０００９】
一方、特許文献５に示す熱処理装置において、炉心管の全体をインコネル（登録商標）などのニッケル基合金などの耐熱性金属を含む材料で形成した場合には、金属材料であるから、機械的特性が良好であるとともに、腐食性気体に対しても優れた耐性を備えている。
しかしながら、インコネル（登録商標）などのニッケル基合金、コバルト基合金、クロム合金などの耐熱性金属を含む材料は、非常に高価であり、炉心管の全体を当該材料で構成すると、炉心管を含むロータリーキルンを安価に製造することができない。
従って、本発明はこれら従来の問題点を解消するためになされたものであり、機械的強度が強く、且つ耐熱性及び耐腐食性を高めた円筒状のロータリーキルン本体を安価な構成で製造することができる、腐食性気体が発生する粉体を回転動作に伴って移送するロータリーキルン本体を備えたロータリーキルンを提供することにある。
【課題を解決するための手段】
【００１０】
上記課題を解決するために、本発明の一態様に係るロータリーキルンは、腐食性気体が発生する粉体を回転動作に伴って移送する円筒状のロータリーキルン本体を備えたロータリーキルンであって、前記ロータリーキルン本体は、耐熱性金属からなる円筒状の外筒と、該外筒に挿入される、前記外筒よりも短いＮｉ−Ｃｒ−Ｍｏ−Ｎｂ合金製の円筒状の内筒と、該内筒の端部の内周側を支持した状態で前記外筒の内周面に固定される内筒支持部材とを備え、前記内筒支持部材は、前記内筒の端面との間に所定の隙間を設けた状態で前記外筒の内周面に固定されるとともに、前記外筒の内周面に固定された状態における露出面にＮｉ−Ｃｒ−Ｍｏ−Ｎｂ合金の合金層を備えていることを要旨とする。
【発明の効果】
【００１１】
本発明に係るロータリーキルンによれば、機械的強度が強く、且つ耐熱性及び耐腐食性を高めた円筒状のロータリーキルン本体を安価な構成で製造することができる、腐食性気体が発生する粉体を回転動作に伴って移送するロータリーキルン本体を備えたロータリーキルンを提供できる。
【図面の簡単な説明】
【００１２】
【図１】本発明の一実施形態に係るロータリーキルンの概略構成図である。
【図２】図１における矢印Ａ方向から見た矢視図である。
【図３】図１における矢印Ｂで示す部分の拡大図である。
【発明を実施するための形態】
【００１３】
以下、本発明の実施形態に係るロータリーキルンについて図面を参照して説明する。以下に示す実施形態は、本発明の技術的思想を具体化するための装置や方法を例示するものであって、本発明の技術的思想は、構成部品の材質、形状、構造、配置等を下記の実施形態に特定するものではない。
また、図面は模式的なものである。そのため、厚みと平面寸法との関係、比率等は現実のものとは異なることに留意すべきであり、図面相互間においても互いの寸法の関係や比率が異なる部分が含まれている。
【００１４】
本発明の一実施形態に係るロータリーキルンは、図１に示されており、このロータリーキルン１は、腐食性気体が発生する粉体Ｓを収納した状態で回転駆動し、この回転駆動に伴って当該粉体Ｓを移送する円筒状のロータリーキルン本体２を備えている。ロータリーキルン本体２の外周には複数（本実施形態にあっては２個）のタイヤ２４が固定されている。各タイヤ２４は、回転可能な例えばローラ等で構成される回転体２５上に載置され、回転体２５が回転することにより、各タイヤ２４が回転し、ロータリーキルン本体２が回転するようになっている。ここで、腐食性気体が発生する粉体Ｓとは、例えば、廃酸（鉄分を含んだ塩酸）を噴霧焙焼して得た酸化鉄を水洗した酸化鉄スラリーであり、腐食性気体は、当該粉体Ｓから発生する塩素を意味する。
【００１５】
このロータリーキルン本体２は、軸方向である前後方向（図１における左右方向）に延びる円筒状に形成され、前端及び後端のそれぞれが開口している。そして、ロータリーキルン本体２の前端（図１における右端）には、ロータリーキルン本体２との間に空間を形成してロータリーキルン本体２の前端を塞ぐ前側閉塞部材３が設けられている。また、ロータリーキルン本体２の後端（図１における左端）には、ロータリーキルン本体２との間に空間を形成してロータリーキルン本体２の後端を塞ぐ後側閉塞部材６が設けられている。ロータリーキルン本体２は、前側閉塞部材３及び後側閉塞部材６のそれぞれに軸受を介して回転可能に支持されている。
【００１６】
そして、前側閉塞部材３には、ロータリーキルン本体２内に熱風を供給して、移送される粉体Ｓを乾燥、焼成させる燃焼炉４が設置されている。ロータリーキルン本体２内の温度は、当該熱風により約８００℃程度に加熱される。燃焼炉４には、燃焼ガス及び燃焼空気が供給される。また、前側閉塞部材３には、ロータリーキルン本体２内に腐食性気体が発生する粉体Ｓを供給する粉体供給部材５が設置されている。
一方、後側閉塞部材６の下側には、ロータリーキルン本体２内で移送され、乾燥、焼成された粉体Ｓ、具体的には酸化鉄スラリーが乾燥、焼成した酸化鉄が排出される粉体排出用開口部７が形成されている。また、後側閉塞部材６の上側には、ロータリーキルン本体２内で発生した気体を排出するための気体排出用開口部８が形成されている。
【００１７】
また、ロータリーキルン本体２内には、ロータリーキルン本体２と同軸に前後方向に延びる、外周に複数の撹拌羽根１１を取り付けた撹拌羽根軸１０が回転可能に設けられている。撹拌羽根軸１０は、前方部が前側閉塞部材３を貫通して前方に伸び、後方部が後側閉塞部材６を貫通して後方に伸び、前方部及び後方部のそれぞれが軸受１２によって回転可能に支持されている。撹拌羽根軸１０の前方部は、回転駆動モータ１３の回転軸１４に減速機を介して連結されている。撹拌羽根軸１０は、ロータリーキルン本体２とともに回転し、ロータリーキルン本体２内を移送される粉体Ｓを撹拌羽根１１によって撹拌する。
【００１８】
次に、ロータリーキルン本体２の構成について、図１乃至図３を参照して詳細に説明する。
ロータリーキルン本体２は、前後方向に延びる円筒状の外筒２１と、外筒２１内に挿入される、前後方向に延びる円筒状の内筒２２とを備えている。
外筒２１は、例えばオーステナイト系ステンレス鋼材（ＳＵＳ３１０Ｓ）などの耐熱性金属で構成された円筒体で形成され、その板厚は約９ｍｍ程度である。
また、内筒２２は、その外周面が外筒２１の内周面に嵌め込む程度の外径を有し、前後方向の長さが外筒２１よりも短いＮｉ−Ｃｒ−Ｍｏ−Ｎｂ合金製の円筒体の円筒体で構成される。Ｎｉ−Ｃｒ−Ｍｏ−Ｎｂ合金としては、例えば、インコネル６２５（インコネルは登録商標）を用いる。内筒２２の厚さは、約４ｍｍ程度である。
【００１９】
また、ロータリーキルン本体２は、内筒２２の端部の内周側を支持した状態で外筒２１の内周面に溶接固定される内筒支持部材２３を備えている。内筒２２の端部の内周側を支持した状態で内筒支持部材２３を外筒２１の内周面に溶接固定することにより、内筒２２は、外筒２１の内周面に固定される。内筒支持部材２３は、図１に示すように、内筒２２の軸方向（前後方向）の両端において、図２に示すように、それぞれ４個ずつ備えられ、内筒２２の周方向に等間隔で配置される。内筒支持部材２３の外筒２１の内周面への固定は、溶接以外にもボルトや接着剤を用いて固定してもよいが、強度、耐久性の点から溶接が好ましい。
【００２０】
各内筒支持部材２３は、図３に示すように、内筒２２の端部の内周面を支持する支持板部２３ａと、支持板部２３ａの端面に固定され、支持板部２３ａと直交する方向に延びて外筒２１の内周面に溶接固定される固定板部２３ｂとを備えている。各内筒支持部材２３は、例えばステンレス鋼などの構成部材であり、一体に形成される。
支持板部２３ａは、その外周面が内筒２２の内周面と同一の曲率半径を有する円形面に形成されて、内筒２２に端部の内周面を内側から支持するようになっている。また、固定板部２３ｂは、その外周面が外筒２１の内周面と同一の曲率半径を有する円形面に形成される。
【００２１】
また、固定板部２３ｂは、軸方向内側面（図３においては左右方向左側面）２３ｄと内筒２２の端面２２ａとの間に所定の隙間δを設けた状態で外筒２１の内周面に溶接固定される。溶接部ｗは、固定板部２３ｂの軸方向外側面（図３においては左右方向右側面）と外筒２１の内周面との間に形成される。
また、各内筒支持部材２３は、外筒２１の内周面に固定された状態における露出面に、図３に示すように、Ｎｉ−Ｃｒ−Ｍｏ−Ｎｂ合金を溶射した合金層２３ｃを備えている。Ｎｉ−Ｃｒ−Ｍｏ−Ｎｂ合金としては、例えば、インコネル６２５（インコネルは登録商標）を用いる。Ｎｉ−Ｃｒ−Ｍｏ−Ｎｂ合金層の形成は、溶射以外にもメッキ、クラッド等の方法があるが、簡便性等の点から溶射が好ましい。
外筒２１の内周面は、外筒２１の内周面に嵌め込んだＮｉ−Ｃｒ−Ｍｏ−Ｎｂ合金製の内筒２２と、露出面に合金層（Ｎｉ−Ｃｒ−Ｍｏ−Ｎｂ合金層）２３ｃを形成した内筒支持部材２３とにより覆われる。
【００２２】
Ｎｉ−Ｃｒ−Ｍｏ−Ｎｂ合金は、様々な腐食性媒体に対して優れた耐性を有する。このため、ロータリーキルン本体２の内部で腐食性気体が発生する粉体Ｓの乾燥、焼成を行う際に、当該粉体Ｓから発生した腐食性気体が外筒２１の内周面を覆うＮｉ−Ｃｒ−Ｍｏ−Ｎｂ合金により遮断される。これにより、耐熱性金属からなる外筒２１に腐食性気体が直接触れることを阻止でき、耐熱性金属の粒界腐食および応力腐食割れを防止することができる。また、内筒支持部材２３の露出面にＮｉ−Ｃｒ−Ｍｏ−Ｎｂ合金を溶射した合金層２３ｃを形成したから、内筒支持部材２３自体を構成する鋼製部材も当該合金層２３ｃによって腐食環境から保護される。
【００２３】
また、Ｎｉ−Ｃｒ−Ｍｏ−Ｎｂ合金は、６５０〜９００℃の温度に耐熱性を有することから、ロータリーキルン本体２内が高温（約８００℃程度）に加熱されていても、その特性が劣化することはない。
更に、Ｎｉ−Ｃｒ−Ｍｏ−Ｎｂ合金は、機械的特性も良好であり、セラミックスのように脆性材料ではないため、外部から機械的応力あるいは熱応力を受けた際に耐え得る応力が高く、破壊され難い。このため、内筒２２が破壊されることによって外筒２１に腐食性気体が直接触れてしまうおそれは少ない。
【００２４】
また、Ｎｉ−Ｃｒ−Ｍｏ−Ｎｂ合金は非常に高価であるが、ロータリーキルン本体２の内筒２２及び内筒支持部材２３の露出面のみに使用し、ロータリーキルン本体２全体には用いていないので、ロータリーキルン本体２を安価に製造することができる。
従って、本実施形態に係るロータリーキルン１によれば、機械的強度が強く、且つ耐熱性及び耐腐食性を高めた円筒状のロータリーキルン本体２を安価な構成で製造することができる、腐食性気体が発生する粉体Ｓを回転動作に伴って移送するロータリーキルン本体２を備えたロータリーキルン１を提供できる。
【００２５】
なお、内筒支持部材２３は、内筒２２の端面２２ａとの間に所定の隙間δを設けた状態で外筒２１の内周面に溶接固定される。これにより、外筒２１と内筒２２との材質の相違による熱膨張率の差に基づく熱伸びの差を吸収することができ、その熱伸びの差を要因とする外筒２１及び内筒２２の応力割れを防止することができる。内筒支持部材２３と内筒２２の端面２２ａとの間の隙間δの大きさは、外筒２１及び内筒２２の軸方向長さ（前後方向の長さ）、外径及び内径の大きさによって適宜決定される。
【００２６】
以上、本発明の実施形態について説明してきたが、本発明はこれに限定されず、種々の変更、改良を行うことができる。
例えば、内筒支持部材２３は、内筒２２の軸方向（前後方向）の両端において、それぞれ４個ずつ備えられているが、これに限定されない。内筒支持部材２３は、内筒２２の軸方向の両端において４個未満であってもよいし、４個以上であってもよい。また、内筒支持部材２３を、内筒２２の軸方向の両端においてそれぞれ１つで構成する場合、内筒２２の内周面の全周を１つの内筒支持部材２３で支持してもよいし、内筒２２の内周面の全周に対して所定の範囲だけ１つの内筒支持部材２３で支持してもよい。また、内筒支持部材２３を、内筒２２の軸方向の両端においてそれぞれ複数で構成する場合、内筒２２の内周面の周方向に対して等間隔で配置してもよいし、不均等な間隔で配置してもよい。
また、腐食性気体が発生する粉体としては、腐食性気体（例えば、硝酸など）が発生する粉体であれば、廃酸（鉄分を含んだ塩酸）を噴霧焙焼して得た酸化鉄を水洗した酸化鉄スラリーに限らない。
【符号の説明】
【００２７】
１  ロータリーキルン
２  ロータリーキルン本体
３  前側閉塞部材
４  燃焼炉
５  粉体供給部材
６  後側閉塞部材
７  粉体排出用開口部
８  気体排出用開口部
１０  撹拌羽根軸
１１  撹拌羽根
１２  軸受
１３  回転駆動モータ
１４  回転軸
２１  外筒
２２  内筒
２３  内筒支持部材
２３ａ  支持板部
２３ｂ  固定板部
２３ｃ  合金層
２３ｄ  軸方向内側面
２４  タイヤ
２５  回転体
Ｓ  粉体
ｗ  溶接部
【図１】
2019184181.tif 000003
【図２】
2019184181.tif 000004
【図３】
2019184181.tif 000005